(57)【要約】      （修正有）【課題】外観が良好で防犯上有効なフェンス上に使用され、特に、先端部の形状、構造を極めて簡易に形成することを可能とする侵入防止用構造体を提供する。【解決手段】支柱部及び先端部からなる侵入防止用構造体であって、前記先端部は二枚の二等辺三角形状の金属板を交差させて形成したものであることを特徴とする。フェンス上又は地面に直接所定間隔で配設される複数の構造体の先端部を二枚の二等辺三角形状の金属板の一方に設けたスリット部に他方を差し込むことによって、先端部が尖った構造の支柱を簡易に形成するができ、防犯上有効でかつ外観上も好ましい。【選択図】図３
0003150313.tif 000002
【実用新案登録請求の範囲】
【請求項１】
支柱部及び先端部からなる侵入防止用構造体であって、前記先端部は二枚の二等辺三角形状の金属板を交差させて形成されたものであることを特徴とする侵入防止用構造体。
【請求項２】
前記二枚の二等辺三角形状の金属板の交差は、前記二枚の二等辺三角形状の金属板の一方に形成されたスリットに他方の二等辺三角形状の金属板を差し込むことによって形成されることを特徴とする請求項１に記載の侵入防止用構造体。
【請求項３】
前記二枚の三角形状の金属板は、前記支柱部を構成する金属丸棒に形成されたスリットに差し込まれることを特徴とする請求項１又は２に記載の侵入防止用構造体。
【請求項４】
前記二枚の二等辺三角形状の金属板の交差角度は直角である請求項１ないし３のいずれかに記載の侵入防止用構造体。
【請求項５】
請求項１ないし４のいずれかに記載の構造体がフェンス上に等間隔で配置されていることを特徴とするフェンス。
【請求項６】
請求項１ないし４のいずれかに記載の構造体の支柱部の間が鎖によって連結されて形成されるフェンス。
【考案の詳細な説明】
【技術分野】
【０００１】
本考案は侵入防止用構造体に関し、特に、同構造体の先端部の形状・構造に関するものである。
【背景技術】
【０００２】
従来、家と家の間、道路と家の間、または屋上の周囲に設置されるフェンスとしては、例えば、樹木を並べて植えたものやブロックを積み重ねたものが用いられている。樹木で構成されたフェンスは、自然な感じで外観が良いという利点があり、また、ブロックからなるフェンスは、家から外部が完全に遮断されるため防犯上有効である。
【考案の開示】
【考案が解決しようとする課題】
【０００３】
しかしながら、樹木を並べてフェンスとすると、外観は良いが、簡易に乗り越えることができ、防犯上好ましくないという欠点があった。
【０００４】
またブロックを積み重ねてフェンスとすると、防犯上ある程度有効であるが、ブロックを乗り越えて人などが侵入することが可能であり、必ずしも、防犯上十分に有効であるあとは言えないという欠点があった。
【０００５】
本考案は上記課題に鑑みてなされたものであり、外観が良好で防犯上有効なフェンス上に使用される構造体、特に、同構造体の先端部の形状、構造を極めて簡易に形成することを可能とするものである。
【課題を解決するための手段】
【０００６】
上記課題を解決するために、本考案は、フェンス上又は地面に直接所定間隔で配設される複数の構造体の先端部を二枚の二等辺三角形状の金属板の一方に設けたスリット部に他方を差し込むことによって、先端部が尖った構造の支柱を簡易に形成するができ、防犯上有効でかつ外観上も好ましい侵入防止用構造体を提供するものである。
【０００７】
一般には、二枚の二等辺三角形状の金属板の交差角度は直角とするのが好ましいが、必ずしもこれに限らず、種々の角度とすることができる。
【０００８】
また、二枚の二等辺三角形状の金属板は、支柱部を構成する金属丸棒にあらかじめ形成されたスリットに差し込むことによって支柱の先端部を形成することができる。
【０００９】
本考案の侵入防止用構造体は、そのまま、直接地面に設置することができるし、また、一定の高さの壁状のフェンス、例えば、ブロック塀の上部において一定間隔をおいて設置することもできる。
【００１０】
さらに、支柱と支柱の間は、その距離などに応じて鎖などにより連結してもよいし、特に何も設置しなくてもよい。
【特許文献１】実開平６−１４３７６号のＣＤ−ＲＯＭ
【考案の概要】
【考案の効果】
【００１１】
本考案の構造体によれば、構造体の先端部が尖った形状、構造を有する防犯上極めて有効なフェンスを簡易に形成することができ、使用する金属材料を選択することによって、外観上も良好にすることができる。
【考案を実施するための最良の形態】
【００１２】
以下、添付図面に沿って本考案に係る侵入防止用構造体の好ましい実施態様の形態について詳説する。
【００１３】
図１は、家屋の最上階のフェンス上に設けられた本考案の構造体の外観を示した斜視図であり、図２は、本考案の構造体の先端部に使用される金属板の形状を示し、図３は、同先端部の外観を示す斜視図及び上面図が示されている。
【００１４】
図１を参照すると、家屋の最上階に設けられたブロック塀１２の上部には、等間隔で本考案の構造体１６が設置されている。本考案の構造体１６の先端部１８は、二等辺三角形状に尖った形状を有している。
【００１５】
本考案の構造体の先端部には、好ましくは２枚のステンレス板が使用されるが、他の金属材料又はプラスチック材料などであってもよい。また、その形状は、図２に示されるように、ステンレス板Ａは、底辺４０ｍｍ、高さ８０ｍｍの二等辺三角形であり、ステンレス板Ｂは底辺４０ｍｍ、高さ７０ｍｍの二等辺三角形である。ステンレス板Ａの中心部には、底辺から高さ７０ｍｍまでスリットａが設けられている。このスリット部にもう一方のステンレス板Ｂを差し込むことにより、図３に示されるように二等辺三角形の形状の金属板２枚が直角に交わった本考案の支柱部の先端部が形成される。また、ステンレス板Ａは、金属丸棒Ｃの直径に設けられたスリット部ｂに差し込まれ、ステンレス板Ｂは金属丸棒Ｃのスリット部ｂと直交するスリット部ｃに差し込まれることによって簡易に支柱Ｃの先端部を形成される。このように直交する２本のスリット部が設けられた丸棒は市販されており、簡易に入手することができる。
【００１６】
また、他の実施例としては、図４に示されるように等間隔で配置された本考案の構造体の支柱部の間を鎖ｄなどによって連結して、直接地面に排泄することにより、防犯機能を有するフェンスとして使用することが可能である。
【図面の簡単な説明】
【００１７】
【図１】家屋の最上階のフェンスに設けられた本考案の構造体の斜視図を示す。
【図２】本考案の構造体の先端部に使用される金属板の形状を示す。
【図３】本考案の構造体の先端部の外観を示す斜視図及び上面図を示す。
【図４】本考案の構造体の支柱部の間を鎖で連結した例を示す。
【符号の説明】
【００１８】
１２  壁状フェンス
１４  階段
１６  本考案の構造体の支柱部
１８  本考案の構造体の先端部
Ａ  本考案の構造体の先端部を構成するステンレス板
Ｂ  本考案の構造体の先端部を構成するステンレス板
Ｃ  本考案の構造体の支柱部を構成する金属丸棒
ａ  金属板Ａに設けられたスリット
ｂ  金属丸棒Ｃに設けられたスリット
ｃ  金属丸棒Ｃに設けられたスリットｂに直交するスリット
ｄ  鎖
【図１】
0003150313.tif 000003
【図２】
0003150313.tif 000004
【図３】
0003150313.tif 000005
【図４】
0003150313.tif 000006